(57)【要約】  骨内空間への接近を可能にするよう操作できるペネトレータ組立体が開示される。ペネトレータ組立体は、長手方向ボアと、骨及び関連骨髄に貫入することができる遠位端部とを有する可撓性外側ペネトレータを含むのが良い。ペネトレータ組立体は、骨及び関連骨髄に貫入することができる遠位端部を有する剛性内側ペネトレータをさらに含むのが良い。遠位端部を有するハブが可撓性外側ペネトレータの近位端部に連結されている。遠位端部を有するコネクタが剛性内側ペネトレータの近位端部に連結されている。コネクタの近位端部は、ドライバに解除可能に係合するのが良い。可撓性外側ペネトレータの長手方向ボアは、可撓性外側ペネトレータが挿入手技中に曲がるのを阻止し又は最小限に抑えるよう剛性内側ペネトレータを抜去可能に受け入れるのが良い。可撓性外側ペネトレータは、長手方向ボアからの剛性内側ペネトレータの抜去後に曲がるのが良い。
2021522973.tif 000002
【特許請求の範囲】
【請求項１】
骨内空間への接近を可能にするよう操作できるペネトレータ組立体であって、前記ペネトレータ組立体は、
長手方向ボアと、骨及び関連骨髄に貫入することができる遠位端部とを有する可撓性外側ペネトレータと、
骨及び関連骨髄に貫入することができる遠位端部を有する剛性内側ペネトレータと、
前記可撓性外側ペネトレータの近位端部に連結された遠位端部を有するハブと、
前記剛性内側ペネトレータの近位端部に連結された遠位端部及びドライバに解除可能に係合するよう構成された近位端部を有するコネクタとを含み、
前記可撓性外側ペネトレータの前記長手方向ボアは、前記可撓性外側ペネトレータが挿入手技中に曲がるのを阻止し又は最小限に抑えるよう前記剛性内側ペネトレータを抜去可能に受け入れるよう構成され、前記可撓性外側ペネトレータは、前記長手方向ボアからの前記剛性内側ペネトレータの抜去後に曲がるよう構成されている、ペネトレータ組立体。
【請求項２】
前記外側ペネトレータの前記遠位端部に隣接したところで前記外側ペネトレータに連結された深さ制御カラーをさらに含み、前記深さ制御カラーは、前記骨内空間中への前記内側ペネトレータ及び前記外側ペネトレータのそれ以上の貫入を阻止するために前記骨に接触することができる遠位端部を有する、請求項１記載のペネトレータ組立体。
【請求項３】
前記外側ペネトレータの前記遠位端部に固定された遠位切断スリーブをさらに含み、遠位切断スリーブは、骨及び関連骨髄に貫入することができる、請求項１記載のペネトレータ組立体。
【請求項４】
前記可撓性外側ペネトレータは、前記剛性内側ペネトレータが前記可撓性外側ペネトレータの前記長手方向ボアから抜去されたときに前記外側ペネトレータが曲がることができるようにする複数のスリットを有する、請求項１〜３のうちいずれか一に記載のペネトレータ組立体。
【請求項５】
前記複数のスリットは、前記可撓性外側ペネトレータの中間区分に沿って設けられ、前記中間区分は、前記可撓性外側ペネトレータの前記遠位端部と前記近位端部との間に配置されている、請求項４記載のペネトレータ組立体。
【請求項６】
前記複数のスリットは、前記可撓性外側ペネトレータの前記中間区分の長さに沿ってパターンをなして配列されている、請求項５記載のペネトレータ組立体。
【請求項７】
前記複数のスリットの前記パターンは、１ピッチあたり３本の切れ目線を有する、請求項６記載のペネトレータ組立体。
【請求項８】
前記複数のスリットの前記パターン中の各スリットは、９０゜だけ回転的に増分している、請求項７記載のペネトレータ組立体。
【請求項９】
前記複数のスリットのうちの少なくとも１つは、前記可撓性外側ペネトレータの壁に設けられた細長い切れ目である、請求項４〜８のうちいずれか一に記載のペネトレータ組立体。
【請求項１０】
前記複数のスリットのうちの少なくとも１つは、前記可撓性外側ペネトレータの壁に設けられた小穴である、請求項４〜９のうちいずれか一に記載のペネトレータ組立体。
【請求項１１】
前記複数のスリットのうちの少なくとも１つは、前記可撓性外側ペネトレータの壁に設けられた切り欠き又は溝である、請求項４〜９のうちいずれか一に記載のペネトレータ組立体。
【請求項１２】
前記複数のスリットは、レーザによって形成されている、請求項４〜１１のうちいずれか一に記載のペネトレータ組立体。
【請求項１３】
前記複数のスリットは、化学エッチングによって形成されている、請求項４〜１１のうちいずれか一に記載のペネトレータ組立体。
【請求項１４】
前記複数のスリットは、ウォータブラスチングによって形成されている、請求項４〜１１のうちいずれか一に記載のペネトレータ組立体。
【請求項１５】
前記可撓性外側ペネトレータに取り付けられた被覆スリーブをさらに含み、前記被覆スリーブは、前記可撓性外側ペネトレータからの物質の漏れを阻止し又は最小限に抑えることができる、請求項４〜１４のうちいずれか一に記載のペネトレータ組立体。
【請求項１６】
前記被覆スリーブは、前記可撓性外側ペネトレータの前記中間区分を覆うよう構成され、前記被覆スリーブは、前記複数のスリットからの物質の漏れを阻止し又は最小限に抑えることができる、請求項１５記載のペネトレータ組立体。
【請求項１７】
前記被覆スリーブは、前記可撓性外側ペネトレータを曲げたときに曲がることができる、請求項１５又は１６記載のペネトレータ組立体。
【請求項１８】
前記被覆スリーブは、前記外側ペネトレータを高圧で通過する物質の漏れを阻止し又は減少させることができる、請求項１５〜１７のうちいずれか一に記載のペネトレータ組立体。
【請求項１９】
前記被覆スリーブは、熱収縮チューブである、請求項１５〜１８のうちいずれか一に記載のペネトレータ組立体。
【請求項２０】
前記被覆スリーブは、ポリマーから成る、請求項１５〜１９のうちいずれか一に記載のペネトレータ組立体。
【請求項２１】
前記被覆スリーブは、フッ素化エチレンプロピレンから成る、請求項１５〜２０のうちいずれか一に記載のペネトレータ組立体。
【請求項２２】
前記被覆スリーブは、透明である、請求項１５〜２１のうちいずれか一に記載のペネトレータ組立体。
【請求項２３】
前記被覆スリーブは、螺旋中空ストランドチューブである、請求項１５〜１８のうちいずれか一に記載のペネトレータ組立体。
【請求項２４】
前記被覆スリーブの外径は、前記カラーの外径の寸法以下である、請求項１５〜２３のうちいずれか一に記載のペネトレータ組立体。
【請求項２５】
前記被覆スリーブの外径は、前記遠位切断スリーブの外径の寸法以下である、請求項１５〜２３のうちいずれか一に記載のペネトレータ組立体。
【請求項２６】
前記コネクタの前記遠位端部は、前記ハブの近位端部に解除可能に係合するよう構成されている、請求項１〜２５のうちいずれか一に記載のペネトレータ組立体。
【請求項２７】
前記コネクタの前記遠位端部は、雌ねじ付き部分を有し、前記ハブの前記近位端部は、雄ねじ付き部分を有し、前記雄ねじ付き部分及び前記雌ねじ付き部分は、前記ハブを前記コネクタに螺着させることができる、請求項１〜２６のうちいずれか一に記載のペネトレータ組立体。
【請求項２８】
前記コネクタは、ドライバの駆動シャフトを受け入れるよう構成された受け口を有する、請求項１〜２７のうちいずれか一に記載のペネトレータ組立体。
【請求項２９】
前記受け口はさらに、前記ドライバの前記駆動シャフトに解除可能に係合するよう構成されている、請求項２８記載のペネトレータ組立体。
【請求項３０】
前記受け口は、前記ドライバの前記駆動シャフトのテーパ付き部分に解除可能に嵌着することができる全体としてテーパ付きの形体を有する、請求項２８又は２９記載のペネトレータ組立体。
【請求項３１】
前記受け口は、前記ドライバの前記駆動シャフトの磁性部分に解除可能に係合することができる磁気円板をさらに有する、請求項２８〜３０のうちいずれか一に記載のペネトレータ組立体。
【請求項３２】
前記可撓性外側ペネトレータは、カニューレである、請求項１〜３１のうちいずれか一に記載のペネトレータ組立体。
【請求項３３】
前記剛性内側ペネトレータは、スタイレットである、請求項１〜３２のうちいずれか一に記載のペネトレータ組立体。
【請求項３４】
骨内空間への接近を可能にするよう操作できるペネトレータ組立体であって、前記ペネトレータ組立体は、
骨及び関連骨髄に貫入することができるひだ付きドリル先端部を含み、
長手方向ボア及び前記ひだ付きドリル先端部に連結された遠位端部を有する可撓性カニューレを含み、
前記可撓性カニューレの前記長手方向ボア内に解除可能に受け入れられるよう構成された剛性スタイレットを含み、前記剛性スタイレットは、挿入手技中、前記剛性スタイレットが前記可撓性カニューレの前記長手方向ボア内に受け入れられたときに前記可撓性カニューレが曲がるのを阻止し又は最小限に抑えることができ、前記可撓性カニューレは、前記長手方向ボアからの前記剛性スタイレットの抜去後に曲がるよう構成され、
前記可撓性カニューレの近位端部に連結された遠位端部を有するハブを含み、
前記剛性スタイレットの近位端部に連結された遠位端部及びドライバに解除可能に係合するよう構成された近位端部を有するコネクタを含む、ペネトレータ組立体。
【請求項３５】
前記ひだ付きドリル先端部は、頭部分、本体部分、及び前記頭部分と前記本体部分の両方に沿って延びる切断ひだを有し、前記切断ひだは、血液及び／又は骨髄サンプルを前記骨内空間から吸引することができ又は薬物を前記骨内空間に送り出すことができるよう働くチャネルを構成している、請求項３４記載のペネトレータ組立体。
【請求項３６】
前記可撓性カニューレは、前記剛性スタイレットを前記カニューレの前記長手方向ボアから抜去したときに前記カニューレが曲がることができるよう働く複数のスリットを有する、請求項３４又は３５記載のペネトレータ組立体。
【請求項３７】
前記複数のスリットは、前記可撓性カニューレの中間区分に沿って設けられ、前記中間区分は、前記可撓性カニューレの前記遠位端部と前記近位端部との間に配置されている、請求項３６記載のペネトレータ組立体。
【請求項３８】
前記複数のスリットは、前記可撓性カニューレの前記中間区分の長さに沿ってパターンをなして配列されている、請求項３７記載のペネトレータ組立体。
【請求項３９】
前記複数のスリットの前記パターンは、１ピッチあたり３本の切れ目線を有する、請求項３８記載のペネトレータ組立体。
【請求項４０】
前記複数のスリットの前記パターン中の各スリットは、９０゜だけ回転的に増分している、請求項３９記載のペネトレータ組立体。
【請求項４１】
前記複数のスリットのうちの少なくとも１つは、前記可撓性カニューレの壁に設けられた細長い切れ目である、請求項３６〜４０のうちいずれか一に記載のペネトレータ組立体。
【請求項４２】
前記複数のスリットのうちの少なくとも１つは、前記可撓性カニューレの壁に設けられた小穴である、請求項３６〜４０のうちいずれか一に記載のペネトレータ組立体。
【請求項４３】
前記複数のスリットのうちの少なくとも１つは、前記可撓性カニューレの壁に設けられた切り欠き又は溝である、請求項３６〜４０のうちいずれか一に記載のペネトレータ組立体。
【請求項４４】
前記複数のスリットは、レーザによって形成されている、請求項３６〜４３のうちいずれか一に記載のペネトレータ組立体。
【請求項４５】
前記複数のスリットは、化学エッチングによって形成されている、請求項３６〜４３のうちいずれか一に記載のペネトレータ組立体。
【請求項４６】
前記複数のスリットは、ウォータブラスチングによって形成されている、請求項３６〜４３のうちいずれか一に記載のペネトレータ組立体。
【請求項４７】
前記可撓性カニューレに取り付けられた被覆スリーブをさらに含み、前記被覆スリーブは、前記可撓性カニューレからの物質の漏れを阻止し又は最小限に抑えることができる、請求項３６〜４６のうちいずれか一に記載のペネトレータ組立体。
【請求項４８】
前記被覆スリーブは、前記可撓性カニューレの前記中間区分を覆うよう構成され、前記被覆スリーブは、前記複数のスリットからの物質の漏れを阻止し又は最小限に抑えることができる、請求項４７記載のペネトレータ組立体。
【請求項４９】
前記被覆スリーブは、前記可撓性カニューレを曲げたときに曲がることができる、請求項４７又は４８記載のペネトレータ組立体。
【請求項５０】
前記被覆スリーブは、前記カニューレを高圧で通過する物質の漏れを阻止し又は減少させることができる、請求項４７〜４９のうちいずれか一に記載のペネトレータ組立体。
【請求項５１】
前記被覆スリーブは、熱収縮チューブである、請求項４７〜５０のうちいずれか一に記載のペネトレータ組立体。
【請求項５２】
前記被覆スリーブは、ポリマーから成る、請求項４７〜５１のうちいずれか一に記載のペネトレータ組立体。
【請求項５３】
前記被覆スリーブは、フッ素化エチレンプロピレンから成る、請求項４７〜５２のうちいずれか一に記載のペネトレータ組立体。
【請求項５４】
前記被覆スリーブは、透明である、請求項４７〜５３のうちいずれか一に記載のペネトレータ組立体。
【請求項５５】
前記被覆スリーブは、螺旋中空ストランドチューブである、請求項４７〜５０のうちいずれか一に記載のペネトレータ組立体。
【請求項５６】
前記被覆スリーブの外径は、前記ひだ付きドリル先端部の前記頭部分の外径の寸法以下の外径を有する、請求項３４〜５５のうちいずれか一に記載のペネトレータ組立体。
【請求項５７】
前記コネクタの前記遠位端部は、前記ハブの近位端部に解除可能に係合するよう構成されている、請求項３４〜５６のうちいずれか一に記載のペネトレータ組立体。
【請求項５８】
前記コネクタの前記遠位端部は、雌ねじ付き部分を有し、前記ハブの前記近位端部は、雄ねじ付き部分を有し、前記雄ねじ付き部分及び前記雌ねじ付き部分は、前記ハブを前記コネクタに螺着させることができる、請求項３４〜５７のうちいずれか一に記載のペネトレータ組立体。
【請求項５９】
前記コネクタは、ドライバの駆動シャフトを受け入れるよう構成された受け口を有する、請求項３４〜５８のうちいずれか一に記載のペネトレータ組立体。
【請求項６０】
前記受け口はさらに、前記ドライバの前記駆動シャフトに解除可能に係合するよう構成されている、請求項５９記載のペネトレータ組立体。
【請求項６１】
前記受け口は、前記ドライバの前記駆動シャフトのテーパ付き部分に解除可能に嵌着することができる全体としてテーパ付きの形体を有する、請求項５９又は６０記載のペネトレータ組立体。
【請求項６２】
前記受け口は、前記ドライバの前記駆動シャフトの磁性部分に解除可能に係合することができる磁気円板をさらに有する、請求項５８〜６０のうちいずれか一に記載のペネトレータ組立体。
【請求項６３】
骨内空間への接近を可能にするよう操作できるペネトレータ組立体であって、前記ペネトレータ組立体は、
骨及び関連骨髄に貫入することができる遠位端部を有する剛性スタイレットを含み、
骨及び関連骨髄に貫入することができる遠位端部、及び前記剛性スタイレットの一部分を受け入れるよう構成された長手方向ボアを有するカニューレを含み、
前記カニューレの一部分の外面に取り付けられていて前記カニューレとハブとを流体連通させる可撓性管を含み、前記可撓性管は、前記剛性スタイレットの前記一部分を受け入れるよう構成され、
前記剛性スタイレットは、挿入手技中、前記可撓性管を支持するよう構成されている、ペネトレータ組立体。
【請求項６４】
前記カニューレは、雌型ロック部分を構成する近位端部をさらに有する、請求項６３記載のペネトレータ組立体。
【請求項６５】
前記剛性スタイレットは、雄型キー部分を構成する遠位端部を備えたキー区分をさらに有し、前記雄型キー部分は、前記カニューレの前記遠位端部を前記スタイレットの前記遠位端部に対して方向づけて骨及び関連骨髄に貫入することができる切断先端部を形成するために前記カニューレの前記近位端部のところで前記雌型ロック部分と嵌合するようになっている、請求項６４記載のペネトレータ組立体。
【請求項６６】
前記可撓性管は、透明である、請求項６３〜６５のうちいずれか一に記載のペネトレータ組立体。
【発明の詳細な説明】
【技術分野】
【０００１】
本開示内容（本発明）は、一般に、骨内空間に接近するための医療装置、特に、医学的処置のために骨に貫入して関連の骨髄に接近するための骨内器具及び方法に関する。
【０００２】
〔関連出願の参照〕
本願は、２０１８年５月１１日に出願された米国特許仮出願第６２／６７０，６９１号の優先権主張出願であり、この米国特許仮出願を参照により引用し、その開示内容全体を本明細書の一部とする。
【背景技術】
【０００３】
生命を脅かす緊急事態にある患者を治療するための重要な要素は、薬剤及び流体を循環系中に直接投与するために静脈（ＩＶ）ラインを迅速に確保することである。救急車で救急医療技師が実行するにせよ、緊急治療室で救急専門医が実行するにせよ、いずれにせよ、目的は同じ、つまり命を救う薬剤及び流体を投与するために、ＩＶを開始することである。このような重大な緊急事態を成功裏に処置する能力は、血管接近を達成する際の手術者の腕前及び巡り合わせに大きく依存する。一部の患者ではＩＶを開始することは比較的容易であるが、医師、看護師及び救急医療技師は、多くの患者においてＩＶ接近を確保するのに大きな困難を経験する場合が多い。これら患者にはこの問題を解決しようとして鋭利な針で繰り返し探り、静脈ルートを最終的に確保するために侵襲手技を必要とする場合がある。ＩＶ接近を達成する際にさらにややこしい要因は、「現場で」、例えば事故現場で、又は救急車で移送中に起こり、この場合、標的を探すことが困難であり、過度の動作により、静脈系への接近が非常に困難になる。
【０００４】
慢性疾患のある患者又は高齢者の場合、容易に接近可能な静脈の利用可能性がほとんどなくなる場合かある。末梢静脈の解剖学的希少性、肥満、極端な脱水症、又は以前のＩＶ薬使用に起因して、利用可能なＩＶ部位がない患者もいる。これらの患者の場合、救命薬剤を投与するために適切な部位を発見することは、困難でありかつもどかしい作業になる。命を脅かす緊急事態にある多くの患者は、救命のＩＶ治療で血管系への接近が遅れたか又は単に不可能であったために、続いて起こる合併症で死亡した。
【発明の概要】
【発明が解決しようとする課題】
【０００５】
かかる患者に関し、骨内（ＩＯ）空間を用いて患者の血管系への直接的な導管を提供する代替方式は、ＩＶ薬剤及び流体を投与するうえで魅力的な代替手段である。骨内的に投与される薬剤は、これら薬剤が静脈内に与えられたときに入るのと同じほど迅速に患者の血液循環系に入る。しかしながら、骨内針を標的部位に適正に配置することは、決定的に重要な意味を持つ。ユーザが針を誤った場所に挿入しようとした場合、骨は、分厚すぎる場合があり、したがって、針が貫入するのに困難な場合がある。別法として、他の場所では、骨が薄すぎる場合があり、かくして針は、骨全体を完全に穿通し、かくして骨内空間を通過する場合がある。さらに、針をこの針が患者の胸部に実質的に垂直ではない場所で骨内に角度をなして配置すると、その結果として、針が折れ又は他の合併症が生じる場合がある。
【０００６】
加うるに、骨中に挿入された従来型剛性カニューレは、これが何かにぶつかることによって又は患者が動いたときに偶発的に外れた状態になる場合がある。例えば、患者の上腕骨中に挿入されたかかる従来型剛性カニューレは、患者の腕が動くと、すなわち、患者が自分の腕を自分の頭上に上げたとき又は患者が挿入状態のカニューレを偶発的に叩いたときに偶然に外れた状態になる場合がある。したがって、可撓性カニューレを含むペネトレータ組立体であって、この可撓性カニューレが標的部位のところの患者の骨から偶発的に外れる恐れの発生を阻止し又は減少させるペネトレータ組立体が要望されている。
【課題を解決するための手段】
【０００７】
上記要望は、本発明にかかるペネトレータ組立体の具体化によって満たされ、このペネトレータ組立体は、骨内空間への接近を可能にするよう操作可能である。本発明の一観点によれば、ペネトレータ組立体は、長手方向ボアと、骨及び関連骨髄に貫入することができる遠位端部とを有する可撓性外側ペネトレータと、骨及び関連骨髄に貫入することができる遠位端部を有する剛性内側ペネトレータと、可撓性外側ペネトレータの近位端部に連結された遠位端部を有するハブと、剛性内側ペネトレータの近位端部に連結された遠位端部及びドライバに解除可能に係合するよう構成された近位端部を有するコネクタとを含み、可撓性外側ペネトレータの長手方向ボアは、可撓性外側ペネトレータが挿入手技中に曲がるのを阻止し又は最小限に抑えるよう剛性内側ペネトレータを抜去可能に受け入れるよう構成され、可撓性外側ペネトレータは、長手方向ボアからの剛性内側ペネトレータの抜去後に曲がるよう構成されていることを特徴とする。
【０００８】
本発明のもう一つの観点によれば、ペネトレータ組立体は、外側ペネトレータの遠位端部に隣接したところで外側ペネトレータに連結された深さ制御カラーをさらに含み、深さ制御カラーは、骨内空間中への内側ペネトレータ及び外側ペネトレータのそれ以上の貫入を阻止するために骨に接触することができる遠位端部を有する。
【０００９】
本発明のもう一つの観点によれば、外側ペネトレータの遠位端部に固定された遠位切断スリーブをさらに含み、遠位切断スリーブは、骨及び関連骨髄に貫入することができる。
【００１０】
本発明のもう一つの観点によれば、可撓性外側ペネトレータは、剛性内側ペネトレータが可撓性外側ペネトレータの長手方向ボアから抜去されたときに外側ペネトレータが曲がることができるようにする複数のスリットを有する。
【００１１】
本発明のもう一つの観点によれば、複数のスリットは、可撓性外側ペネトレータの中間区分に沿って設けられ、中間区分は、可撓性外側ペネトレータの遠位端部と近位端部との間に配置されている。
【００１２】
本発明のもう一つの観点によれば、複数のスリットは、可撓性外側ペネトレータの中間区分の長さに沿ってパターンをなして配列されている。
【００１３】
本発明のもう一つの観点によれば、複数のスリットのパターンは、１ピッチあたり３本の切れ目線を有する。
【００１４】
本発明のもう一つの観点によれば、複数のスリットのパターン中の各スリットは、９０゜だけ回転的に増分している。
【００１５】
本発明のもう一つの観点によれば、複数のスリットのうちの少なくとも１つは、可撓性外側ペネトレータの壁に設けられた細長い切れ目である。
【００１６】
本発明のもう一つの観点によれば、複数のスリットのうちの少なくとも１つは、可撓性外側ペネトレータの壁に設けられた小穴である。
【００１７】
本発明のもう一つの観点によれば、複数のスリットのうちの少なくとも１つは、可撓性外側ペネトレータの壁に設けられた切り欠き又は溝である。
【００１８】
本発明のもう一つの観点によれば、複数のスリットは、レーザによって形成されている。
【００１９】
本発明のもう一つの観点によれば、複数のスリットは、化学エッチングによって形成されている。
【００２０】
本発明のもう一つの観点によれば、複数のスリットは、ウォータブラスチングによって形成されている。
【００２１】
本発明のもう一つの観点によれば、可撓性外側ペネトレータに取り付けられた被覆スリーブをさらに含み、被覆スリーブは、可撓性外側ペネトレータからの物質の漏れを阻止し又は最小限に抑えることができる。
【００２２】
本発明のもう一つの観点によれば、被覆スリーブは、可撓性外側ペネトレータの中間区分を覆うよう構成され、被覆スリーブは、複数のスリットからの物質の漏れを阻止し又は最小限に抑えることができる。
【００２３】
本発明のもう一つの観点によれば、被覆スリーブは、可撓性外側ペネトレータを曲げたときに曲がることができる。
【００２４】
本発明のもう一つの観点によれば、被覆スリーブは、外側ペネトレータを高圧で通過する物質の漏れを阻止し又は減少させることができる。
【００２５】
本発明のもう一つの観点によれば、被覆スリーブは、熱収縮チューブである。
【００２６】
本発明のもう一つの観点によれば、被覆スリーブは、ポリマーから成る。
【００２７】
本発明のもう一つの観点によれば、被覆スリーブは、フッ素化エチレンプロピレンから成る。
【００２８】
本発明のもう一つの観点によれば、被覆スリーブは、透明である。
【００２９】
本発明のもう一つの観点によれば、被覆スリーブは、螺旋中空ストランドチューブである。
【００３０】
本発明のもう一つの観点によれば、被覆スリーブの外径は、カラーの外径の寸法以下である。
【００３１】
本発明のもう一つの観点によれば、被覆スリーブの外径は、遠位切断スリーブの外径の寸法以下である。
【００３２】
本発明のもう一つの観点によれば、コネクタの遠位端部は、ハブの近位端部に解除可能に係合するよう構成されている。
【００３３】
本発明のもう一つの観点によれば、コネクタの遠位端部は、雌ねじ付き部分を有し、ハブの近位端部は、雄ねじ付き部分を有し、雄ねじ付き部分及び雌ねじ付き部分は、ハブをコネクタに螺着させることができる。
【００３４】
本発明のもう一つの観点によれば、コネクタは、ドライバの駆動シャフトを受け入れるよう構成された受け口を有する。
【００３５】
本発明のもう一つの観点によれば、受け口はさらに、ドライバの駆動シャフトに解除可能に係合するよう構成されている。
【００３６】
本発明のもう一つの観点によれば、受け口は、ドライバの駆動シャフトのテーパ付き部分に解除可能に嵌着することができる全体としてテーパ付きの形体を有する。
【００３７】
本発明のもう一つの観点によれば、受け口は、ドライバの駆動シャフトの磁性部分に解除可能に係合することができる磁気円板をさらに有する。
【００３８】
本発明のもう一つの観点によれば、可撓性外側ペネトレータは、カニューレである。
【００３９】
本発明のもう一つの観点によれば、剛性内側ペネトレータは、スタイレットである。
【００４０】
本発明の別の観点によれば、骨内空間への接近を可能にするよう操作できるペネトレータ組立体は、骨及び関連骨髄に貫入することができるひだ付きドリル先端部と、長手方向ボア及びひだ付きドリル先端部に連結された遠位端部を有する可撓性カニューレと、可撓性カニューレの長手方向ボア内に解除可能に受け入れられるよう構成された剛性スタイレットとを含み、剛性スタイレットは、挿入手技中、剛性スタイレットが可撓性カニューレの長手方向ボア内に受け入れられたときに可撓性カニューレが曲がるのを阻止し又は最小限に抑えることができ、可撓性カニューレは、長手方向ボアからの剛性スタイレットの抜去後に曲がるよう構成され、ペネトレータ組立体は、可撓性カニューレの近位端部に連結された遠位端部を有するハブと、剛性スタイレットの近位端部に連結された遠位端部及びドライバに解除可能に係合するよう構成された近位端部を有するコネクタとをさらに含むことを特徴する。
【００４１】
本発明のもう一つの観点によれば、ひだ付きドリル先端部は、頭部分、本体部分、及び頭部分と本体部分の両方に沿って延びる切断ひだを有し、切断ひだは、血液及び／又は骨髄サンプルを骨内空間から吸引することができ又は薬物を骨内空間に送り出すことができるよう働くチャネルを構成している。
【００４２】
本発明のもう一つの観点によれば、可撓性カニューレは、剛性スタイレットをカニューレの長手方向ボアから抜去したときにカニューレが曲がることができるよう働く複数のスリットを有する。
【００４３】
本発明のもう一つの観点によれば、複数のスリットは、可撓性カニューレの中間区分に沿って設けられ、中間区分は、可撓性カニューレの遠位端部と近位端部との間に配置されている。
【００４４】
本発明のもう一つの観点によれば、複数のスリットは、可撓性カニューレの中間区分の長さに沿ってパターンをなして配列されている。
【００４５】
本発明のもう一つの観点によれば、複数のスリットのパターンは、１ピッチあたり３本の切れ目線を有する。
【００４６】
本発明のもう一つの観点によれば、複数のスリットのパターン中の各スリットは、９０゜だけ回転的に増分している。
【００４７】
本発明のもう一つの観点によれば、複数のスリットのうちの少なくとも１つは、可撓性カニューレの壁に設けられた細長い切れ目である。
【００４８】
本発明のもう一つの観点によれば、複数のスリットのうちの少なくとも１つは、可撓性カニューレの壁に設けられた小穴である。
【００４９】
本発明のもう一つの観点によれば、複数のスリットのうちの少なくとも１つは、可撓性カニューレの壁に設けられた切り欠き又は溝である。
【００５０】
本発明のもう一つの観点によれば、複数のスリットは、レーザによって形成されている。
【００５１】
本発明のもう一つの観点によれば、複数のスリットは、化学エッチングによって形成されている。
【００５２】
本発明のもう一つの観点によれば、複数のスリットは、ウォータブラスチングによって形成されている。
【００５３】
本発明のもう一つの観点によれば、可撓性カニューレに取り付けられた被覆スリーブをさらに含み、被覆スリーブは、可撓性カニューレからの物質の漏れを阻止し又は最小限に抑えることができる。
【００５４】
本発明のもう一つの観点によれば、被覆スリーブは、可撓性カニューレの中間区分を覆うよう構成され、被覆スリーブは、複数のスリットからの物質の漏れを阻止し又は最小限に抑えることができる。
【００５５】
本発明のもう一つの観点によれば、被覆スリーブは、可撓性カニューレを曲げたときに曲がることができる。
【００５６】
本発明のもう一つの観点によれば、被覆スリーブは、カニューレを高圧で通過する物質の漏れを阻止し又は減少させることができる。
【００５７】
本発明のもう一つの観点によれば、被覆スリーブは、熱収縮チューブである。
【００５８】
本発明のもう一つの観点によれば、被覆スリーブは、ポリマーから成る。
【００５９】
本発明のもう一つの観点によれば、被覆スリーブは、フッ素化エチレンプロピレンから成る。
【００６０】
本発明のもう一つの観点によれば、被覆スリーブは、透明である。
【００６１】
本発明のもう一つの観点によれば、被覆スリーブは、螺旋中空ストランドチューブである。
【００６２】
本発明のもう一つの観点によれば、被覆スリーブの外径は、ひだ付きドリル先端部の頭部分の外径の寸法以下の外径を有する。
【００６３】
本発明のもう一つの観点によれば、コネクタの遠位端部は、ハブの近位端部に解除可能に係合するよう構成されている。
【００６４】
本発明のもう一つの観点によれば、コネクタの遠位端部は、雌ねじ付き部分を有し、ハブの近位端部は、雄ねじ付き部分を有し、雄ねじ付き部分及び雌ねじ付き部分は、ハブをコネクタに螺着させることができる。
【００６５】
本発明のもう一つの観点によれば、コネクタは、ドライバの駆動シャフトを受け入れるよう構成された受け口を有する。
【００６６】
本発明のもう一つの観点によれば、受け口はさらに、ドライバの駆動シャフトに解除可能に係合するよう構成されている。
【００６７】
本発明のもう一つの観点によれば、受け口は、ドライバの駆動シャフトのテーパ付き部分に解除可能に嵌着することができる全体としてテーパ付きの形体を有する。
【００６８】
本発明のもう一つの観点によれば、受け口は、ドライバの駆動シャフトの磁性部分に解除可能に係合することができる磁気円板をさらに有する。
【００６９】
本発明の別の観点によれば、骨内空間への接近を可能にするよう操作できるペネトレータ組立体は、骨及び関連骨髄に貫入することができる遠位端部を有する剛性スタイレットと、骨及び関連骨髄に貫入することができる遠位端部、及び剛性スタイレットの一部分を受け入れるよう構成された長手方向ボアを有するカニューレと、カニューレの一部分の外面に取り付けられていてカニューレとハブとを流体連通させる可撓性管とを含み、可撓性管は、剛性スタイレットの一部分を受け入れるよう構成され、剛性スタイレットは、挿入手技中、可撓性管を支持するよう構成されていることを特徴とする。
【００７０】
本発明のもう一つの観点によれば、カニューレは、雌型ロック部分を構成する近位端部をさらに有する。
【００７１】
本発明のもう一つの観点によれば、剛性スタイレットは、雄型キー部分を構成する遠位端部を備えたキー区分をさらに有し、雄型キー部分は、カニューレの遠位端部をスタイレットの遠位端部に対して方向づけて骨及び関連骨髄に貫入することができる切断先端部を形成するためにカニューレの近位端部のところで雌型ロック部分と嵌合するようになっている。
【００７２】
本発明のもう一つの観点によれば、可撓性管は、透明である。
【００７３】
かくして、本発明の詳細な説明を良好に理解することができるようにするため、しかも当該技術分野への本発明の貢献を良好に認識することができるようにするために、本発明のある特定の諸観点の概略を説明した。以下に説明しかつ本明細書に添付された特許請求の範囲に記載された主題を成す本発明の追加の具体化例が存在する。
【００７４】
この点において、ペネトレータ組立体の少なくとも１つの観点を詳細に説明する前に、ペネトレータ組立体は、その用途が以下の説明に記載され又は図面に示されたコンポーネントの構成の細部及び配置に限定されないことが理解されるべきである。ペネトレータ組立体は、同一の観点に加えて諸観点を具体化することができ、しかも種々の仕方で具体化されて実施できる。また、本明細書ならびに発明の概要で用いられる語句及び用語は、説明の目的のためであって、本発明を限定するものとみなされてはならないことは理解されるべきである。
【００７５】
したがって、当業者であれば、本発明が立脚する技術的思想がペネトレータ組立体の幾つかの目的を達成する他の構造体、方法、及びシステムの設計のための基礎として容易に利用できることは理解されよう。したがって、請求項の記載は、かかる請求項の記載が本発明の精神及び範囲から逸脱しない限り、かかる均等構成例を含むものと解されることが重要である。
【００７６】
本発明を容易に理解することができるようにするため、骨内（ＩＯ）接近器具の諸観点が添付の図面に例示として記載されており、図面全体にわたって、同一の部分は、同一の参照符号で示されている。
【図面の簡単な説明】
【００７７】
【図１】本発明に係る骨内針セットの斜視図である。
【図２】図１の骨内針セットの分解組立斜視図である。
【図３】図１の骨内針セットの断面側面図である。
【図４】図１の骨内針セットの断面側面図であり、内側ペネトレータが外側ペネトレータから分離されている状態を示す図である。
【図５】図１の骨内針セットの先端部分を示す図である。
【図６Ａ】図１の骨内針セットの内側ペネトレータの先端部分の平面図である。
【図６Ｂ】図１の骨内針セットの内側ペネトレータの先端部分の側面図である。
【図７Ａ】図１の骨内針セットの外側ペネトレータの側面図である。
【図７Ｂ】図１の骨内針セットの外側ペネトレータの平面図である。
【図７Ｃ】本発明のもう１つの観点にかかる図１の針セットの先端部分を示す図である。
【図７Ｄ】本発明のもう１つの観点にかかる図１の針セットの外側ペネトレータの一部分を示す図である。
【図７Ｅ】図７Ｄの外側ペネトレータの回復形状を示す図である。
【図７Ｆ】本発明のもう１つの観点にかかる図１の針セットの先端部分を示す図である。
【図７Ｇ】本発明のもう１つの観点にかかる図１の針セットの外側ペネトレータの一部分を示す図である。
【図７Ｈ】図７Ｇの外側ペネトレータの回復形状を示す図である。
【図７Ｉ】本発明のもう１つの観点にかかる図１の針セットの先端部分を示す図である。
【図７Ｊ】本発明のもう１つの観点にかかる図１の針セットの外側ペネトレータの一部分を示す図である。
【図７Ｋ】図７Ｊの外側ペネトレータの回復形状を示す図である。
【図７Ｌ】本発明のもう１つの観点にかかる図１の針セットの先端部分を示す図である。
【図７Ｍ】本発明のもう１つの観点にかかる図１の針セットの外側ペネトレータの一部分を示す図である。
【図７Ｎ】図７Ｍの外側ペネトレータの回復形状を示す図である。
【図７Ｏ】本発明のもう１つの観点にかかる図１の針セットの先端部分を示す図である。
【図７Ｐ】本発明のもう１つの観点にかかる図１の針セットの外側ペネトレータの一部分を示す図である。
【図７Ｑ】図７Ｐの外側ペネトレータの回復形状を示す図である。
【図８】図１の骨内針セットのコネクタの後側から見た斜視図である。
【図９】本発明に係る深さ制御カラーを有する骨内針セットの斜視
【図１０】図９の骨内針セットの分解組立斜視図である。
【図１１】図９の骨内針セットの断面側面図である。
【図１２】図９の骨内針セットの断面側面図であり、内側ペネトレータが外側ペネトレータから分離された状態を示す図である。
【図１３】本発明に係る遠位切断スリーブを有する骨内針セットの斜視図である。
【図１４】図１３の骨内針セットの分解組立斜視図である。
【図１５】図１３の骨内針セットの断面側面図である。
【図１６】図１３の骨内針セットの断面側面図であり、内側ペネトレータが外側ペネトレータから分離された状態を示す図である。
【図１７】図１３の骨内針セットの先端部分を示す図である。
【図１８Ａ】本発明に係る遠位切断スリーブの側面図である。
【図１８Ｂ】本発明に係る遠位切断スリーブの平面図である。
【図１９】本発明に係るひだ付き切断ドリル先端部を有する骨内針セットの斜視図である。
【図２０】図１９の骨内針セットの分解組立斜視図である。
【図２１】図１９の骨内針セットの断面側面図である。
【図２２】本発明に係るひだ付き切断ドリル先端部の正面図である。
【図２３】図１９の骨内針セットの一部分の部分断面図である。
【図２４】本発明に係るひだ付き切断ドリル先端部の側面図である。
【図２５Ａ】本発明の一観点にかかるキーシステムを有する骨内針セットを示す図である。
【図２５Ｂ】図２５Ａの骨内針セットの先端部分を示す図である。
【図２５Ｃ】本発明の一観点にかかるキーシステムを有する骨内針セットに連結された手動ドライバを示す図である。
【図２６】本発明の一観点にかかる骨内針セットを示す図であり、剛性内側ペネトレータが可撓性外側ペネトレータから分離された状態を示す図である。
【図２７】図２６の可撓性骨内針セットの外側ペネトレータを曲げ形体で示す図である。
【発明を実施するための形態】
【００７８】
本発明は、医学的処置、例えば骨髄の吸引及び生検のために骨に貫入して関連骨髄に接近するための骨内（ＩＯ）器具及び方法を提供する。「骨内（ＩＯ）器具」という用語は、本願においては、骨の骨内空間もしくは内側部分への接近を可能にするよう操作できる任意の中空針、中空ドリルビット、ペネトレータ組立体、骨ペネトレータ、カテーテル、カニューレ、トロカール、スタイレット、内側ペネトレータ、外側ペネトレータ、ＩＯ針、生検針、吸引針、ＩＯ針セット、生検針セット、又は吸引針セット（これらには限定されない）を含むものとして使用される場合がある。しかしながら、多種多様な他のＩＯ器具を本発明の１つ又は２つ以上の教示に従って形成することができる。かかるＩＯ器具は、少なくとも一部が金属合金、例えば３０４ステンレス鋼や針及び類似の医療器具と関連した他の生体適合性材料で作られるのが良い。
【００７９】
「流体」という用語は、本願では、液体、例えば血液、水、生理食塩水、ＩＶ溶液、血漿もしくは液体の任意の混合物、粒状物、骨髄の生検もしくは吸引又は骨髄もしくは他の標的部位との流体の連絡と関連した溶解状態の薬物及び／又は薬剤を含むものとして使用される場合がある。「流体」という用語はまた、本特許出願では、粒状物、例えば標的部位から取り出し可能な骨髄及び／又は細胞を含有した任意の体内流体及び／又は体液を含むものとして使用される場合がある。
【００８０】
「採取」及び「採取すること」という用語は、本願においては、骨及び／又は骨髄生検ならびに骨髄吸引を含むものとして使用される場合がある。骨及び／又は骨髄生検（「針生検」とよばれる場合がある）は、一般に、生検目的のために選択された標的野から骨及び／又は骨髄の比較的小さな片又は検体を取り出すこととして説明される場合がある。骨髄吸引（「骨髄サンプル採取」とよばれる場合がある）は、一般に、選択された標的野から多量の骨髄を取り出すこととして説明される場合がある。比較的多量の骨髄を診断、移植及び／又は研究目的で使用される場合がある。例えば、幹細胞研究技術の中には、比較的多量の骨髄を必要とするものがある。
【００８１】
「挿入部位」、「貫入部位」、「標的部位」、及び「設置部位」という用語は、本願では、骨内器具を骨及び関連骨髄中に挿入し又は骨及び関連骨髄に穴をあけてこれらに入れることができる骨の場所を説明するために使用される場合がある。挿入部位、貫入部位、標的部位、及び設置部位は、一般に、皮膚及び軟組織で覆われている。「標的野」という用語は、本願では、骨小腔の選択された部分又は関連の骨髄を本発明の教示に従って採取することができる骨小腔内の場所を説明するために用いられる場合がある。
【００８２】
本発明の教示を組み込んだＩＯ器具を数秒間で選択された標的野又は標的部位中に挿入するために動力ドライバを用いるのが良い。しかしながら、本発明の種々の教示は、動力ドライバとの併用に限定されるわけではない。手動ドライバ及び機械的支援型ドライバ、例えばばね動力式ドライバもまた、本発明の教示を組み込んだＩＯ装置と併用することができる。かかる手動ドライバを骨内接近のための電池式ドライバを装備する有用性又は妥当性が実現可能ではない時点において、本発明のＩＯデバイスと併用することができる。かかる条件としては、極端な温度及び厳しい重量の制約により戦闘に携帯することができるものを限定する軍事用の特別な作戦を含む場合がある。同じことは、長い保存可能期間及び頻繁な使用が電池式ドライバの利便性を実現困難にする民間の救急医療システム（ＥＭＳ）又はファースト・レスポンダに当てはまる場合がある。手動ドライバが用いられる場合、手の力をハンドル又はグリップに及ぼしてペネトレータ又は針を骨中に挿入して骨髄に接近するのが良い。手動ドライバはまた、電池式ドライバが例えば電源の消耗に起因して機能しない場合に有用なバックアップとしての役目を果たすことができる。かくして、骨に貫入することができ、そして関連の骨髄にいずれかのドライバを備えた本発明のＩＯ器具を用いて接近することができる。幾つかの用途に関し、ＩＯ器具は、骨及び／又は関連骨髄に貫入することができる第１の端部及びドライバ、例えば動力ドライバ又は手動ドライバに解除自在に係合することができる第２の端部を備えるのが良い。
【００８３】
本発明の教示を組み込んだＩＯ針セット及び他のＩＯ器具は、第１のＩＯ器具、例えば、カニューレ、カテーテル、又は外側ペネトレータ及び、第２のＩＯ器具、例えば、スタイレット、トロカール、又は内側ペネトレータを有するのが良い。種々の形式の切断面を第１のＩＯ器具の第１の端部及び第２のＩＯ器具の第１の端部に近接して形成するのが良い。第１のＩＯ器具の切断面と第２のＩＯ器具の切断面は、骨及び／又は関連骨髄に貫入するよう互いに協働するのが良い。第１のコネクタ又は第１のハブを用いると、第１のＩＯ針又はＩＯ器具を第２のＩＯ針又はＩＯ器具に解除自在に係合させることができる。例えば、ＩＯ針セットは、第１のコネクタ又は第１のハブを含むのが良く、この第１のコネクタ又は第１のハブには全体として中空のカニューレ、カテーテル、又は外側ペネトレータが第１のハブの第１の端部から延びる状態で取り付けられる。第１のハブの第２の端部は、第２のコネクタ又は第２のハブの第１の端部に解除自在に係合することができるのが良い。スタイレット、トロカール、又は内側ペネトレータはまた、第２のハブの第１の端部から延びる状態でこれに取り付けられるのが良い。第１のハブの第２の端部は、開口部を有するのが良く、かかる開口部は、この開口部及びカニューレ、カテーテル、又は外側ペネトレータに設けられたルーメンを通ってスタイレット、トロカール又は内側ペネトレータを挿入することができるようにするよう寸法決めされている。第２のハブの第２の端部は、動力ドライバ又は手動ドライバから延びる駆動シャフトに解除自在に係合することができる。
【００８４】
本発明の種々の特徴を図示のＩＯ器具に関して説明することができるが、本発明は、かかるＩＯ器具には限定されない。多種多様なＩＯ器具を種々の寸法及び／又は形体を備えた状態で本発明の教示に従って形成することができる。
【００８５】
ペネトレータ組立体、例えばＩＯ針セット１００，１００ａ，１００ｂ，１００ｃが本発明の教示に従って形成されたＩＯ接近器具の幾つかの実施例のみを示している。図１及び図２を参照すると、ペネトレータ組立体１００は、可撓性外側ペネトレータ又はカニューレ１１０及び剛性内側ペネトレータ又はスタイレット１２０を含む。カニューレ１１０の第１の端部１１１及びスタイレット１２０の第１の端部１２１は、骨及び関連骨髄に貫入するよう操作可能である。特に、カニューレ及びスタイレットの第１の端部１１１，１２１は、それぞれの切断先端部を構成する。スタイレット１２０は、剛性の長手方向本体を有しかつカニューレ１１０の長手方向ボア又はルーメン１１８内に摺動可能にかつ解除可能に収納されるよう構成されている。カニューレ１１０の第１の端部１１１及びスタイレット１２０の第１の端部１２１の種々の特徴が図５及び図６に詳細に示されており、これらについては以下において説明する。幾つかの具体化例では、流体ポートがカニューレ本体上の種々の場所に設けられるのが良く、かかる場所としては、カニューレの第１の端部１１１のところが挙げられる。ペネトレータ組立体１００の第１の端部１０１又は遠位端部は、全体として、カニューレ１１０の第１の端部１１１又は遠位端部及びスタイレット１２０の第１の端部１２１又は遠位端部に対応するのが良い。ペネトレータ組立体の第２の端部１０２又は近位端部は、全体として、カニューレ１１０の第２の端部１１２又は近位端部及びスタイレット１２０の第２の端部１２２又は近位端部に対応するのが良い。ペネトレータ組立体の第２の端部１０２は、ドライバに解除自在に取り付けられるよう操作可能であるのが良く、これについては以下において詳細に説明する。
【００８６】
ペネトレータ組立体１００は、ハブ１３０及びコネクタ１４０をさらに含む。カニューレ１１０の第２の端部１１２は、カニューレの第１の端部１１１から見て反対側に位置し、この第２の端部は、ハブ１３０の第１の端部１３１又は遠位端部に固定的に係合するのが良い。幾つかの具体化例では、カニューレの第２の端部１１２は、ＵＶ接着剤又は他形式の接着剤によりハブの第１の端部１３１内に位置するハブの一部分に結合されるのが良い。スタイレット１２０の第２の端部１２２は、スタイレットの第１の端部１２１から見て反対側に位置し、この第２の端部は、コネクタ１４０の第１の端部１４１又は遠位端部に固定的に係合するのが良い。幾つかの具体化例では、スタイレットの第２の端部１２２は、ＵＶ接着剤又は他形式の接着剤によりコネクタの第１の端部１４１内に収納されたコネクタの一部分１４５に結合されるのが良い。
【００８７】
図３及び図４に示されているように、カニューレ１１０は、ハブ１３０の第１の端部１３１から長手方向に延びるのが良く、スタイレット１２０は、コネクタ１４０の第１の端部１４１から延びるのが良い。ハブ１３０の第２の端部１３２又は近位端部は、ルアーロック取り付け具を有するのが良く、このルアーロック取り付け具は、コネクタ１４０の第１の端部１４１内に設けられた対応のルアーロック取り付け具に解除可能に係合するのが良い。具体的に説明すると、ハブ１３０の第２の端部１３２は、雄ねじ付き部分１３３を有するのが良く、コネクタ１４０の第１の端部１４１は、雌ねじ付き部分１４３を有するのが良く、その結果、ハブ１３０の雄ねじ付き部分１３３は、コネクタ１４０の雌ねじ付き部分１４３に取り外し可能に結合することができ、その結果、ハブ１３０の第２の端部１３２とコネクタ１４０の第１の端部１４１との螺合連結部が得られる。ハブ１３０の第２の端部１３２に設けられたルアーロック取り付け具１３３は、カニューレルーメン１１８を通ってＩＯ空間を吸引し、カニューレルーメン１１８を通って薬物をＩＯ空間に送り出し、又は骨及び関連骨髄の生検検体を捕捉するための標準シリンジ型取り付け具及び／又は標準静脈（ＩＶ）連結部及び関連流体チューブに解除自在に係合するよう操作可能であるのが良い。ハブ１３０がコネクタ１４０に取り付けられると、スタイレット１２０は、スタイレットがコネクタ１４０の第１の端部１４１及びハブ１３０の第１の端部１３１から長手方向に延びるようカニューレ１１０内に設けられる。
【００８８】
種々の形式の受け口がコネクタを手動ドライバ又は動力ドライバの駆動シャフトに解除自在に係合する際に用いられるようコネクタ１４０の第２の端部１４２又は近位端部内に設けられるのが良い。例えば、ドライバ、例えばテーパ付き部分を備えた駆動シャフトを有する手動又は動力ドライバがコネクタ１４０の第２の端部１４２内に設けられた対応の全体としてテーパ付き形体を有する受け口１４４と解除自在に嵌合するよう操作可能であるのが良い。幾つかの具体化例では、ドライバから延びるテーパ付きシャフトの端部のところに設けられた磁石及び骨内器具の受け口１４４内に設けられた対応の金属又は磁気円板によって骨内器具に固定されるのが良い。
【００８９】
図３及び図４を参照して上述したように、ペネトレータ組立体１００は、外側ペネトレータ１１０、例えばカニューレ、中空管又は中空ドリルビット及び関連のハブ１３０を含むのが良い。ペネトレータ組立体１００は、内側ペネトレータ１２０、例えばスタイレット又はトロカール、及び関連のコネクタ１４０をさらに含むのが良い。種々の形式のスタイレット及び／又はトロカールが外側ペネトレータ内に設けられるのが良い。幾つかの用途に関し、外側ペネトレータ又はカニューレ１１０は、内側ペネトレータ又はスタイレット１２０を収容するよう寸法決めされた全体として細長い管として説明可能である。内側ペネトレータ１２０の別々の部分が外側ペネトレータ１１０を貫通して延びる長手方向通路１１８内に設けられるのが良い。内側ペネトレータ１２０の外径及び長手方向通路１１８の内径は、内側ペネトレータ１２０が外側ペネトレータ１１０内に摺動自在に収納されることができるよう選択されるのが良い。
【００９０】
金属円板がコネクタ１４０を手動ドライバ又は動力ドライバの駆動シャフトの磁性部分に解除可能に取り付ける際に使用できるようコネクタ１４０の第２の端部１４２の開口部１４４内に設けられるのが良い。幾つかの具体化例では、ドライバの駆動シャフトが磁化されるのが良い。内側ペネトレータ１２０の第２の端部１２２は、好ましくは、金属円板から間隔を置いて配置され、絶縁又は非導電性物質がこれらの間に配置される。
【００９１】
図５は、本発明の教示に従って外側ペネトレータ１１０及び内側ペネトレータ１２０のそれぞれの第１の端部１１１，１２１のところに形成されるのが良い切断表面又は先端部の一実施例を示している。外側ペネトレータ１１０の第１の端部１１１及び／又は内側ペネトレータ１２０の第１の端部１２１は、骨及び関連骨髄に貫入するよう操作可能であるのが良い。外側ペネトレータ１１０及び内側ペネトレータ１２０のそれぞれの第１の端部１１１，１２１のところの先端部及び／又は切断表面の形体は、外傷を最小限に抑えた状態で骨又は他の体腔に貫入するよう選択されるのが良い。
【００９２】
外側ペネトレータ１１０及び内側ペネトレータ１２０のそれぞれの第１の端部１１１，１２１は、関連製造プロセス中に１ユニットとして一緒に研削されるのが良く、その結果、ハブ１３０がコネクタ１４０にしっかりと締結されると、外側ペネトレータ１１０及び内側ペネトレータ１２０のそれぞれの切断面が実質的に同一平面内に位置するようカニューレ又は外側ペネトレータ１１０とスタイレット又は内側ペネトレータ１２０が互いに対して配置されるようになっている。したがって、スタイレット１２０は、カニューレ１１０の傾斜／斜切先端部に合致する傾斜／斜切先端部を有する。
【００９３】
換言すると、カニューレ１１０の第１の端部１１１及びスタイレット１２０の第１の端部１２１は、隣り合う切断面１１４，１２４を形成するよう同時に研削されるのが良い。それぞれの端部１１１，１２１を同時に研削すると、その結果として、図５に示されているように全体として互いに一致する切れ刃を形成するよう単一の切断ユニットを形成することができる。他の具体化例では、外側ペネトレータ１１０及び内側ペネトレータ１２０のそれぞれの第１の端部１１１，１２１は、関連の製造プロセス中に別々に研削されても良く、その結果、ハブ１３０がコネクタ１４０にしっかりと締結されると、カニューレ又は外側ペネトレータ１１０とスタイレット又は内側ペネトレータ１２０は、外側ペネトレータ及び内側ペネトレータのそれぞれの切断面１１４，１２４が実質的に同一平面内に位置するよう互いに対して配置されるようになっている。したがって、スタイレット１２０は、カニューレ１１０の傾斜／斜切先端部に合致する傾斜／斜切先端部を有する。さらに、外側ペネトレータ１１０の第１の端部１１１の断面は、台形の形をしているのが良く、かかる断面は、１つ又は２つ以上の切断面を有するのが良い。同様に、内側ペネトレータ１２０の第１の端部１２１の断面は、台形の形をしているのが良く、かかる断面は、１つ又は２つ以上の切断面を有するのが良い。
【００９４】
図６Ａ及び図６Ｂに示されているように、例えば、内側ペネトレータ１２０の第１の端部１２１の切断面は、第１のフェース及び隣接した第２のフェースを含み、第１のフェースは、第２のフェースよりも長い。同様に、外側ペネトレータ１１０の第１の端部１１１の切断面は、第１のフェース及び隣接した第２のフェースを含み、第１のフェースは、第２のフェースよりも長い。合致嵌め合いを提供することにより、外側ペネトレータ及び内側ペネトレータの第１の端部１１１，１２１のところのそれぞれの先端部は、挿入を容易にするとともにペネトレータ組立体１００の別々の部分を骨及び関連骨髄中に挿入しているときの損傷を最小限に抑える単一の穴あけユニットとして働くことができる。内側ペネトレータ及び外側ペネトレータは、ステンレス鋼、チタン、又は骨に貫入するのに適した強度及び耐久性を備えた他の生体適合性材料で作られるのが良い。図７Ｃ、図７Ｆ、図７Ｉ、図７Ｌ，及び図７Ｏに示されているように、外側ペネトレータ及び内側ペネトレータのそれぞれの切断面は、種々の構成例において、骨貫入の所望の有効性を達成するとともに骨及び関連骨髄中への挿入中及びこれらからの引き抜き中に針先端部の強度を維持するような寸法形状のものであるのが良い。
【００９５】
ハブ１３０の第２の端部１３２は、関連コネクタ１４０との解除可能な係合又は取り付けを可能にするよう操作可能であるのが良い。ハブ１３０の第１の端部１３１は、外側ペネトレータ１１０のための関連の挿入部位と適合した寸法及び形体を有するのが良い。コネクタ１４０は、第２の端部１４２に隣接したところに拡大テーパ付き部分を有するのが良い。オペレータがドライバの駆動シャフトへの取り付け中に関連ペネトレータ組立体１００をつかむことができるよう複数の長手方向隆起部１４９がコネクタ１４０の外面に設けられるのが良い。また、長手方向隆起部１４９により、コネクタ１４０を外側ペネトレータ１１０が骨及び関連骨髄中に挿入されたときにハブ１３０から離脱可能であるようつかむことができ、その結果、外側ペネトレータは、挿入部位のところに留置状態のままでいることができるようになっている。
【００９６】
コネクタ１４０の第１の端部１４１は、ハブ１３０の第２の端部１３２を収容するよう寸法決めされた開口部１４７を有するのが良い。ねじ山１４３がコネクタ１４０の第１の端部１４１に隣接したところで開口部１４７に形成されるのが良い。ねじ山付き取り付け具１４３を用いると、コネクタ１４０をハブ１３０の第２の端部１３２に隣接したところで対応ねじ山付き取り付け具１３３に解除可能に取り付けることができる。ハブ１３０の第２の端部１３２の外部には、ねじ山付き部分１３３又は他の適当な取り付け具が形成されるのが良い。さらに、ハブの第２の端部１３２は、全体として円筒形の開口部１３４を有するのが良く、この全体として円筒形の開口部１３４は、コネクタ１４０の第１の端部１４１内に設けられ、すなわち、ピン型形体を構成する対応の全体として円筒形の突出部１４５を嵌合状態で受け入れるよう構成されている。突出部１４５は、ＵＶ接着剤又は他形式の接着剤によりコネクタに結合されるのが良いスタイレット１２０の第２の端部１２２を固定状態で受け入れるよう構成された受け口を有するのが良い。
【００９７】
幾つかの具体化例では、ハブ１３０の第１の端部１３１は、フランジを備えるのが良い。加うるに、保護カバー又は針キャップの一端部を受け入れるよう構成された斜めのスロット又は溝がハブ１３０の第１の端部１３１に形成されるのが良い。幾つかの具体化例では、保護カバー又は針キャップの一端部を受け入れるよう構成された斜めのスロット又は溝がコネクタ１４０の第１の端部１４１に形成されるのが良い。かかるスロット又は溝を用いると、保護カバーをペネトレータ組立体１００に解除可能に係合させることができる。幾つかの観点では、カバーは、丸形端部を備えた全体として中空の管であるのが良い。カバーは、関連のドライバへの取り付けに先立って、外側ペネトレータ１１０及び内側ペネトレータ１２０のそれぞれの部分を保護するために関連のスロット内に設けられるのが良い。カバーの外部には複数の長手方向隆起部が設けられるのが良い。長手方向隆起部は、関連のペネトレータの別の部分を汚染することなく、カバー又は針キャップを取り付けたり取り外したりすることができるようにするよう互いに協働する。カバーを種々のプラスチック及び／又は金属で作ることができる。
【００９８】
ハブ１３０の第１の端部１３１の寸法及び形体は、種々の挿入部位及び／又は患者に対応するよう様々であって良い。例えば、ハブ１３０の第１の端部１３１は、患者の皮膚に接触するのに適合性のある環状フランジ又は形体をさらに有するのが良い。幾つかの具体化例では、第１の端部１３１は、患者の皮膚に接触するのに適合した環状フランジ又は他の形体を備えていない。ハブ１３０を貫通した通路が第１の端部１３１から第２の端部１３２まで延びるのが良い。通路の内周部の寸法及び形体は、カニューレ又は外側ペネトレータ１１０の第２の端部１１２の外周部に固定的に係合するよう選択されているのが良い。幾つかの観点では、カニューレ又は外側ペネトレータ１１０の第２の端部１１２は、ＵＶ接着剤又は他形式の接着剤によりハブに結合されるのが良い。
【００９９】
幾つかの用途に関し、ハブ１３０の第１の端部１３１のねじ山付き連結部又は取り付け具１３３は、静脈内チューブ又はシリンジと関連した種々の形式のルアーロック及び／又はルアー取り付け具への取り付けを許容することができる。例えば、外側ペネトレータ又はカニューレ１１０がいったん骨及び関連骨髄中に挿入されると、静脈内チューブを外側ペネトレータに連結することによって、ペネトレータ又はカニューレを経由して流体を骨髄に送るために種々の形式の連結具を使用することができる。また、直角コネクタを用いると、静脈内チューブをチューブのルーメンをねじらず又は締め付けない角度で外側ペネトレータに連結することができる。幾つかの観点では、かかる直角コネクタをハブ１３０に係合させるためにロックナットを用いることができる。外側ペネトレータ１１０と静脈内チューブとの間で流体を流通させるために種々の他形式のコネクタを用いることができ、その結果、この静脈内チューブを用いて静脈内流体及び／又は薬物を関連の骨髄に提供することができるようになっている。チューブはまた、ＩＯ空間からの血液又は骨髄のサンプルを取り出す際に使用することができる。また、ペネトレータを静脈内チューブ、他形式のチューブ、及び／又はシリンジに連結するために他のコネクタ又はアダプタを用いることができる。
【０１００】
外側ペネトレータ又はカニューレ１１０は、図７Ａ及び図７Ｂに示されているように、第１の端部１１１と第２の端部１１２の間に設けられた中間部分１１３を有する。カニューレ１１０は、ステンレス鋼又は他の適当な生体適合性材料で作られるのが良い。カニューレの第１及び第２の端部１１１，１１２は、剛性であって非可撓性であるが、カニューレの中間部分１１３は、曲げ又は撓みによって変形するよう構成されている。特に、中間部分１１３の外側部分には、カニューレ１１０が曲がることができるようにする複数の切れ目又はスリット１１５が設けられている。幾つかの具体化例では、切れ目は、図７Ａに示されているように貫通切れ目である幾つかの具体化例では、切れ目のうちの少なくとも幾つかは、カニューレ材料の切り欠き又は他の薄肉化部分であるのが良い。かくして、切れ目は、カニューレ壁を完全に貫通しても良く、あるいは、カニューレ壁にエッチングにより設けられた小穴又は溝であっても良く、あるいは、これら両方の組み合わせであっても良い。切れ目という切り込みが例えば、種々の技術のうちでとりわけレーザ、化学エッチング、又はウォータブラスチングによって形成されるのが良い。切れ目又はスリット１１５により、カニューレの中間部分１１３は、カニューレの全体的な変形が起こる塑性変形セグメントとして働くことができる。切れ目又はスリットの形体（これらの寸法、形状、及びパターンを含む）は、カニューレの特定の方向及び／又は変形度の実現を容易にするようデザインされている。
【０１０１】
カニューレの切れ目又はスリット１１５によって形成された接合部は、患者の体の外部において又は体の中へのカニューレの導入箇所に隣接したところでの変形を支援する。したがって、カニューレ１１０は、長期間にわたって患者の体内の標的野中に挿入されたままの状態でいることができ、というのは、カニューレは、患者によって行われる動作に対応するよう曲がり又は撓むことができるからである。例えば、患者の上腕骨中に挿入された標準剛性カニューレは、患者の腕の運動時に外れた状態になる場合がある。しかしながら、本発明の可撓性カニューレ１１０は、患者の上腕骨から外れるのが阻止され、というのは、この可撓性カニューレは、例えば患者の腕が患者の頭上にあげられたときに患者の腕の動作に対応するよう曲がり又は撓むことができるからである。
【０１０２】
レーザ切れ目又はスリット１１５のパターン、寸法、及び形状は、所望の可撓性の度合いを提供する一方でさらに予想される加えられる力を考慮に入れて選択されるのが良い。さらに、切り目又はスリット１１５のパターン及び／又はデザインは、カニューレの特定の挿入と引き抜きの健全性を提供して曲げられ又は撓められたカニューレの形状がどれほど大きく回復することができるか、すなわち、カニューレの形状が部分的に回復するか完全に回復することができるかを制御するよう選択されるのが良い。
【０１０３】
例えば、図７Ｄに示されているレーザ切れ目デザイン及び／又はパターン１１５ａを有する外側ペネトレータ１１０ａは、強力な挿入・引き抜きの健全性を有するとともに最小限であり又は平均以下の形状回復度を有するよう構成されている。換言すると、カニューレ１１０ａをいったん曲げると、このカニューレは、一般に、図７Ｅに示されているように曲げ形状のままでいることになる。別の具体化例では、図７Ｇに示されているレーザ切れ目デザイン及び／又はパターン１１５ｂを有する外側ペネトレータ１１０ｂは、図７Ｈに示されているように、中程度の挿入・引き抜き健全性を有するとともにほぼ平均の形状回復度を有するよう構成されている。別の具体化例では、図７Ｊに示されているレーザ切れ目デザイン及び／又はパターン１１５ｃを有する外側ペネトレータ１１０ｃは、図７Ｋに示されているように、中程度の挿入・引き抜き健全性を有するとともに平均の形状回復度を有するよう構成されている。別の具体化例では、図７Ｍに示されているレーザ切れ目デザイン及び／又はパターン１１５ｄを有する外側ペネトレータ１１０ｄは、図７Ｎに示されているように、中程度の挿入・引き抜き健全性を有するとともにほぼ平均の形状回復度を有するよう構成されている。別の具体化例では、図７Ｐに示されているレーザ切れ目デザイン及び／又はパターン１１５ｅを有する外側ペネトレータ１１０ｅは、図７Ｑに示されているように、中程度の挿入・引き抜き健全性を有するとともに最大限の又は平均を超える形状回復度を有するよう構成されている。
【０１０４】
図示のスリットの各レーザ切断デザイン又はパターンにより、カニューレを当初挿入されたままの状態で挿入部位に残すことができ、その結果、カニューレは、挿入部位から遠ざかって延び、かくして関連のハブは、これらに対応して患者から間隔を置いて配置されるようになる。また、図示のスリットの各レーザ切れ目デザイン及び／又はパターンにより、カニューレを所望の向きに、すなわち、患者に対して曲げて固定することができ、その結果、カニューレ及び関連ハブは、患者の近くに位置したままであり、したがって、あまり邪魔にならなくなり、かくして、これらに偶発的にぶつかったりこれらを偶発的に叩いたりすることによって挿入部位から外れる可能性が低い。
【０１０５】
全体として図７Ａに戻ってこれを参照すると、変形可能なカニューレ１１０は、さらに、使用中にこれに作用する荷重、例えば骨の中への挿入中及び／又はこれからの抜去中のトルクに耐えるよう構成されている。換言すると、カニューレのレーザ切れ目又はスリットの特定のデザイン又はパターンは、挿入手技中にカニューレに加えられる様々なトルクのレベルに耐えるために最適化されている。加うるに、スリット１１５によって形成された各接合部により、カニューレの変形が可能である。変形を受けるカニューレの長さは、中間区分１１３内で具体化される全変形量及び／又は中間区分１１３内に設けられているスリット１１５の数に応じて様々であって良い。一実施例では、レーザ切断スリット１１５のパターンは、１ピッチに３本の切れ目線の実現を可能にするとともに９０゜だけ回転的に増分する全部で１２０゜の切れ目／非切れ目を有するのが良い。かかるレーザ切れ目パターンにより、カニューレは、２番目のピッチごとに存在する余分の棘に起因して大きなトルクに耐えることができる。
【０１０６】
再び図１〜図４を参照すると、剛性スタイレット１２０は、挿入中、カニューレ１１０を支持するよう構成されており、この剛性スタイレットはさらに、かかる変形が望まれるまで、すなわち、変形が開始される前にスタイレットをカニューレから抜去することによって、カニューレの変形を阻止する。挿入手技中、カニューレ１１０のハブ１３０をコネクタ１４０に係合させ、その結果、コネクタの剛性スタイレット１２０は、カニューレが手動又は動力ドライバによってカニューレに加えられた力又はトルクに耐えるためにカニューレの中間部分１１３に十分な剛性を提供するようカニューレの長手方向ボア１１８内に受け入れられるようになっている。したがって、スタイレット１２０は、挿入手技中、カニューレ１１０の中間部分１１３に剛性を追加するよう構成され、その結果、カニューレは、手動又は動力ドライバにより加えられた力及び／又はトルクに起因して偶発的に曲がって形が崩れることがないようになっている。換言すると、剛性スタイレットは、ペネトレータがドライバによって押されるとともに／あるいは回されて（すなわち、時計回りの方向に）高密度の骨中に貫入しているときに可撓性カニューレに加えられた力及び／又はトルクに対抗するための安定性及び剛性を与える。
【０１０７】
ペネトレータの先端部がいったんＩＯ空間中に挿入されると、スタイレット１２０を抜去してカニューレ１１０が同一の挿入された位置に位置したままであることができ、又はこのカニューレを患者の皮膚に対して曲げて静脈内チューブ又は他のＩＯ器具を受け入れる一方で、カニューレ及び関連ハブがあまり邪魔にならないように患者の皮膚に対するカニューレの低プロフィールを生じさせる。カニューレの曲げ部分を患者の皮膚にテープ留めすることができ、それにより曲げ部分を定位置にさらに固定することができる。カニューレがいったん患者の標的部位内に挿入されると、流体の漏れが例えば血液又は骨髄を吸入したとき、又は薬物を投与したときにスリット１１５を通って起こる場合がある。切れ目のうちの少なくとも幾つかは、切れ目が受ける曲げの程度に応じてカニューレの曲げ中に少なくとも部分的に閉じる傾向がある。例えば、カニューレを撓ませることによって生じる曲げ部の内方側部のスリットは、変形の結果として閉じる傾向がある。かかる部分的閉じにより、カニューレを通る物質の漏れが減少する。しかしながら、ある特定のスリット、例えば曲げ部の外方側部のスリットは、カニューレを撓ませた場合でも大きな度合いで開いている場合があり、かくして、開かれたスリットを通る流体の漏れがこれに対応して増加する場合がある。例えば、カニューレを撓ませることによって生じる曲げ部の外方側部のスリットは、同一寸法のままであり又は変形の結果として僅かに開く。
【０１０８】
流体の漏れを阻止し又は最小限に抑えるためにカニューレの中間部分１１３の外面を覆って可撓性スリーブ１５０が設けられるのが良く、又は換言すると、可撓性スリーブは、切れ目又はスリット１１５を覆って設けられるのが良い。かくして、カニューレの中間区分１１３と変形可能なスリーブ１５０の両方は、曲がるようになっており、そして患者の体に設けられた挿入部位の内側及び／又は外側に位置したままであることができる。したがって、スリーブ１５０は、カニューレ１１０を通って注入され又は取り出される物質の漏れを減少させるために切れ目１１５を覆うよう構成されている。被覆スリーブ１５０は、透明であるのが良い。被覆スリーブ１５０は、ポリマー、例えばフッ素化エチレンプロピレンから成る熱収縮チューブであるのが良い。スリーブ１５０をカニューレ１１０の中間部分１１３の外部を覆って熱収縮させると、フィットした流体シールがカニューレのレーザ切れ目ゾーンを覆って形成され、その結果、流体は、関連のスリット１１５を通って漏れることがない。また、使用に先立ってスリーブをカニューレのスリットを覆って熱収縮させることにより、スリーブは、カニューレを高圧で通過する物質の漏れを阻止し又は減少するのに十分な強度でカニューレにくっつくようになる。スリーブは、これが挿入手技中にカニューレに十分にくっつけられるようにスリーブを製造中（例えば、ヒートガンにより）熱収縮させるのが良い。
【０１０９】
幾つかの具体化例では、スリーブ１５０は、スリット１１５を有するカニューレの中間部分１１３を超えて延びるのが良い。幾つかの具体化例では、スリーブ１５０は、物質がカニューレを高圧で流通するときにその直径が同一のままであるように非応従性であるのが良い。さらに、スリーブ１５０は、カニューレ１１０を通る物質の高圧流のもとで安定性を確保するのに十分な壁厚を有するのが良い。
【０１１０】
図８を参照すると、コネクタ１４０の第２の端部１４２が示されている。上述したように、駆動シャフト又はアタッチメントをコネクタ１４０の第２の端部１４２に解除可能に係合させることができ、内側ペネトレータ又はスタイレット１２０は、コネクタの第１の端部１４１から延びる。コネクタ１４０とハブ１３０を、ルアー型取り付け具、螺合連結部、又はコネクタの第１の端部１４１及びハブの第２の端部１３２にそれぞれ形成された他の適当な取り付け具によって互いに解除可能に係合させることができる。
【０１１１】
手動又は動力ドライバの関連駆動シャフトを受け入れるために開口部又は凹部１４４がコネクタの第２の端部１４２に形成されるのが良い。開口部１４４は、種々の形体及び／又は寸法を備えることができる。幾つかの具体化例では、開口部１４４は、駆動シャフトの別々の部分を受け入れるよう寸法決めされた通路又はチャネルを有するのが良い。１つ又は２つ以上のウェブ１４６がコネクタの第２の端部１４２に形成されかつ開口部１４４から半径方向に遠ざかって延びるのが良い。開放セグメント又はボイド空間１４８がウェブ相互間に形成されるのが良い。駆動シャフトのそれぞれの突出部をウェブ１４６及びボイド空間１４８に解除可能に係合させるのが良い。開口部１４４及び関連のウェブ１４６を用いると、コネクタ１４０を手動ドライバか動力ドライバかのいずれかに解除可能に結合させることができる。
【０１１２】
図９〜図１２を参照すると、別の具体化例としてのペネトレータ組立体、例えばＩＯ針セット１００ａが示されている。ＩＯ針セット１００ａは、上記において詳細に説明したＩＯ針セット１００と実質的に同じであり、ＩＯ針セット１００ａは、外側ペネトレータ又はカニューレ１１０の第１の端部１１１に固定された深さ制御カラー１６０をさらに含む。深さ制御カラー１６０は、挿入手技中、内側ペネトレータ及び外側ペネトレータの挿入深さを制限するよう構成されている。カラー１６０は、外側ペネトレータ１１０の外周部への係合と適合性のある全体として細長い中空の形体を有するのが良い。カラー１６０は、外側ペネトレータ１１０と一体型ユニットを形成するよう外側ペネトレータ１１０の第１の端部１１１に溶接されるのが良い。カラーの遠位端部は、ＩＯ空間中への内側及び外側ペネトレータの第１の端部のための挿入深さに対応した所定の距離のところで内側及び外側ペネトレータの先端部分から間隔を置いて位置している。したがって、骨及び関連骨髄中への貫入深さは、カラー１６０の遠位縁部とカニューレ及びスタイレットの第１の端部１１１，１２１のところに形成された針先端部の遠位又は終端部との間の距離によって定められるのが良い。
【０１１３】
挿入手技中、カラー１６０の遠位端部は、骨に接触するよう構成され、かくして、内側及び外側ペネトレータがさらに貫入してこれらがＩＯ空間中にどれほどかさらに挿入されるのを阻止する。したがって、カラー１６０は、骨及び関連骨髄中への内側及び外側ペネトレータの挿入深さを制限するよう構成されている。カラー１６０を種々の材料で作ることができ、かかる材料としては、ステンレス鋼、チタン、又は他の材料、例えば外側ペネトレータ１１０を形成するために用いられた材料が挙げられる。カラー１６０は、一般に、外側ペネトレータ１１０の外面に固定的に係合されるので、外側ペネトレータ１１０とカラー１６０は、ドライバの回転に対応して互いに同時に回転することになる。例えば、手動ドライバを用いた場合、ユーザは、針セット１００ａを組織及び骨中に挿入することができ、ついにはカラー１６０の遠位縁部が骨に接触し、かくして、針セットのそれ以上の挿入を阻止する。
【０１１４】
さらに、カラー１６０を外側ペネトレータ１１０の外側部分上に設けて貫入深さを選択的に制限することによってペネトレータ１１０，１２０をこれらがＩＯ空間内の骨髄に接近するのに満足のゆく程度に用いることができる。カニューレ１１０のレーザ切断スリットを覆っているスリーブ１５０は、挿入手技中の損傷からスリーブを保護するためにカラー１６０の外径の寸法以下の外径を有するのが良い。
【０１１５】
別の具体化例としてのペネトレータ組立体、例えばＩＯ針セット１００ｂが図１３〜図１８に示されている。ＩＯ針セット１００ｂは、上記において詳細に説明したＩＯ針セット１００と実質的に同じであり、このＩＯ針セット１００ｂは、外側ペネトレータ又はカニューレ１１０の第1 の端部１１１に固定された遠位切断スリーブ１７０をさらに含む。遠位切断スリーブ１７０は、外側ペネトレータと一体型ユニットを形成するよう外側ペネトレータの第１の端部１１１に溶接されるのが良い。
【０１１６】
図１７は、外側ペネトレータ１１０及び内側ペネトレータ１２０のそれぞれの第１の端部１１１，１２１及び遠位切断スリーブ１７０のところに形成されるのが良い切断面及び先端部の一実施例を示している。外側及び内側ペネトレータ１１０，１２０の切断面１１４，１２４ならびに遠位切断スリーブの切断面１７４は、関連の製造プロセス中に１ユニットとして一緒に研削されるのが良く、その結果、ハブ１３０をコネクタ１４０にしっかりと締結したときに、カニューレ１１０及びスタイレット１２０ならびに遠位切断スリーブ１７０は、これらのそれぞれの切断面が同一平面内に位置するよう互いに対して配置されている。換言すると、内側ペネトレータ、外側ペネトレータ、及び遠位切断スリーブの先端部のところの傾斜／斜切切断面は、互いに合致するよう構成されている。
【０１１７】
他の具体化例では、外側ペネトレータ１１０及び内側ペネトレータ１２０のそれぞれの第１の端部１１１，１２１ならびに遠位切断スリーブ１７０は、関連の製造プロセス中に別々に研削されるのが良く、その結果、ハブ１３０をコネクタ１４０にしっかりと締結したときに、外側ペネトレータ１１０、内側ペネトレータ１２０、及び遠位切断スリーブ１７０のそれぞれの切断面１１４，１２４，１７４は、実質的に同一平面内に位置するようになっている。したがって、スタイレット１２０は、カニューレ１１０の傾斜／斜切先端部に合致するとともにさらに遠位切断スリーブ１７０の傾斜／斜切先端部に合致する傾斜／斜切先端部を有する。さらに、外側ペネトレータ１１０の第１の端部１１１の断面は、台形の形をしているのが良く、この断面は、１つ又は２つ以上の切断面を有するのが良い。同様に、内側ペネトレータ１２０の第１の端部１２１の断面は、台形の形をしているのが良く、この断面は、１つ又は２つ以上の切断面を有するのが良い。同様に、遠位切断スリーブ１７０の第１の端部の断面もまた、台形の形をしているのが良く、この断面は、１つ又は２つ以上の切断面を有するのが良い。
【０１１８】
ペネトレータ１１０，１２０及び遠位切断スリーブ１７０の各切断面のために合致嵌め合いを提供することにより、それぞれの先端部分は、骨及び関連骨髄中への挿入を容易にし、したがってまた、患者に対する外傷を最小限に抑える単一穴あけユニットとして作用することができる。外側及び内側ペネトレータ１１０，１２０と同様、遠位切断スリーブ１７０は、ステンレス鋼、チタン、又は骨に貫入するのに適当な強度及び耐久性を備えた他の生体適合性材料で作られるのが良い。さらに、カニューレのレーザ切断スリット１１５を覆っている可撓性スリーブ１５０は、挿入手技中における損傷からスリーブを保護するために遠位切断スリーブ１７０の外径の寸法以下の外径を有するのが良い。
【０１１９】
別の具体化例としてのペネトレータ組立体、例えばＩＯ針セット１００ｃが図１９〜図２４に示されている。ＩＯ針セット１００ｃは、上記において詳細に説明したＩＯ針セット１００と実質的に同じであるが、このＩＯ針セット１００ｃは、以下の注目される差を有する。具体的に言えば、ＩＯ針セット１００ｃは、可撓性カニューレ１１０ｃの第１の端部にしっかりと固定されたひだ付きドリル先端部１８０を有する。ひだ付きドリル先端部１８０は、可撓性カニューレ１１０ｃと一体型ユニットを形成するよう可撓性カニューレ１１０ｃの第１の端部に溶接されるのが良い。内側及び外側ペネトレータと同様、ひだ付きドリル先端部１８０は、ステンレス鋼、チタン、又は骨に貫入するのに適した強度及び耐久性を備えた他の生体適合性材料で作られるのが良い。剛性スタイレット１２０ｃは、構造剛性を提供して可撓性カニューレ１１０ｃを支持するとともに可撓性カニューレ１１０ｃが曲がり又は変形するのを阻止するよう挿入手技中に用いられる。ＩＯ空間中への針セット１００ｃの挿入時、スタイレット１２０ｃをカニューレ１１０ｃから抜去してカニューレが所望の向きに曲がるとともに撓むことができる。カニューレ１１０ｃのかかる曲げ及び撓みは、上記において詳細に上述したようにその中間区分に形成された切れ目又はスリット１１５に起因している。幾つかの具体化例では、スタイレットの第１の端部又は先端部は、鋭利な遠位先端部が生じないよう尖っていない。かかる尖っていない先端部は、スタイレットをカニューレから抜き出すときにユーザに対する安全性を高めることができる。
【０１２０】
ひだ付き切断先端部１８０は、一体に形成された頭部分１８２及び長手方向本体部分１８４を有する。切断用のひだは、頭部分又は本体部分を連続的に貫通している。頭部分の近位端部は、長手方向本体部分１８４がカニューレ１１０ｃの第１の端部内に受け入れられるようカニューレ１１０ｃの遠位端部にしっかりと固定されている。針セット１００ｃがＩＯ空間中にいったん挿入されるとともにスタイレット１２０ｃがカニューレ１１０ｃから抜き出されると、ひだ付き切断先端部１８０は、カニューレの第１の端部にくっつけられたままであり、その結果、ひだ付き切断先端部は、ＩＯ空間内に固定状態のままである。
【０１２１】
切断ひだは、ひだ付き端部１８０の頭部分１８２と本体部分１８４の両方に沿って設けられたそれぞれのチャネルを構成し、これらチャネルは、血液及び／又は骨髄サンプルをＩＯ空間から吸引することができ又は薬物をＩＯ空間に送り出すことができるようにする（すなわち、物質は、ひだ付き頭部分及びひだ付き本体部分ならびにカニューレの内面によって形成されたチャネルに沿って移動することができる）。さらに、カニューレ１１０c のレーザ切断スリット１１５を覆っている可撓性スリーブ１５０は、挿入手技中の損傷からスリーブを保護するためにひだ付き切断先端部１８０の頭部分の外径の寸法以下の外径を有するのが良い。
【０１２２】
図２５Ａは、別の具体化例としてのペネトレータ組立体、例えばＩＯ針セット１００ｄを示している。ペネトレータ組立体１００ｄは、外側ペネトレータ又はカニューレ１１０ｄ及び剛性内側ペネトレータ又はスタイレット１２０ｄを含む。カニューレ１１０ｄの第１の端部１１１ｄ及びスタイレット１２０ｄの第１の端部１２１ｄは、骨及び関連骨髄に貫入するよう操作可能であるのが良い。特に、カニューレ及びスタイレットの第１の端部１１１ｄ，１２１ｄは、それぞれの切断先端部を構成し、スタイレット１２０ｄは、ＩＯ針セット１００，１００ａ，１００ｂ，１００ｃに関して同様に上述したように、カニューレ１１０ｄの長手方向ボア又はルーメン内に摺動可能にかつ解除可能に収納されるよう構成されている。
【０１２３】
ペネトレータ組立体１００ｄは、上述したハブ１３０及びコネクタ１４０のそれぞれの特徴を含むのが良いハブ１３０ｄ及びコネクタ１４０ｄをさらに含む。可撓性スリーブ又は管１５０ｄの一部分は、カニューレとハブ１３０ｄとの流体連通を可能にするためにカニューレ１１０ｄの一部分の外面にくっつけられ又は結合されるのが良い。可撓性スリーブ１５０ｄは、曲がるようになっており、この可撓性スリーブは、患者の体に設けられた挿入部位の内側及び／又は外側に位置したままであるのが良い。スリーブ又は管１５０は、これを通る物質、例えば骨髄又は薬物の視覚化を可能にするよう透明なポリマーで作られるのが良い。
【０１２４】
カニューレ１１０ｄの第２の端部１１２ｄがカニューレの第１の端部１１１ｄから見て反対側に配置され、この第２の端部は、雌型ロック部分を構成している。スタイレット１２０ｄは、キー区分１２５ｄを有し、このキー区分１２５ｄは、図２５Ｂに示されているように、カニューレ１１０ｄの第２の端部１１２ｄのところで雌型ロック部分と嵌合するようになった雄型キー部分を構成する第１の端部１２６ｄを有する。したがって、雄型キー部分１２６ｄは、スタイレット１２０ｄがカニューレ１１０ｄ中に完全に挿入されると、雌型ロック部分１１２ｄと嵌合するよう構成され、かくして、骨及び関連骨髄に貫入することができる切断先端部を形成するためにスタイレットの第１の端部１２１ｄに対するカニューレの第１の端部１１１ｄの正確な向きが保証される。さらに、剛性スタイレット１２０ｄは、挿入手技中、可撓性管１５０ｄを支持するよう構成され、この剛性スタイレットは、かかる変形が所望されるまで、すなわち、変形が開始される前にスタイレットをカニューレから抜去することによって可撓性管の変形を阻止する。
【０１２５】
例えば、挿入手技中、ハブ１３０ｄをコネクタ１４０ｄに係合させ、その結果、剛性スタイレット１２０ｄは、管が手動又は動力ドライバによって管に加えられた力又はトルクに耐えるためにカニューレの中間部分１１３に十分な剛性を提供するようカニューレ１１０ｄ及び可撓性管１５０ｄ内に受け入れられるようになっている。手動ドライバ２００の一実施例が図２５ＣのＩＯ針セット１００ｄに連結された状態で示されている。したがって、スタイレット１２０ｄは、挿入手技中、剛性を可撓性管１５０ｄに加えるよう構成され、その結果、この可撓性管は、ドライバにより加えられた力及び／又はトルクに起因して偶発的に曲がって形が崩れることがないようになっている。換言すると、剛性スタイレットは、ペネトレータがドライバによって押されるとともに／あるいは回されて高密度の骨中に貫入しているときに可撓性管に加えられた力及び／又はトルクに対抗するための安定性及び剛性を与える。
【０１２６】
図２６は、別の具体化例としてのペネトレータ組立体、例えばＩＯ針セット１００ｅを示している。特に、ＩＯ針セット１００ｅは、剛性内側ペネトレータ又はスタイレット１２０ｅを受け入れるよう構成された可撓性外側ペネトレータ又はカニューレ１１０ｅを含む。カニューレ１１０ｅは、これが上述した可撓性カニューレの他の具体化例と同様に撓み又は曲がることができるようにするハイポチューブを有する。可撓性スリーブ１５０ｅ、例えば螺旋中空ストランドチューブがハイポチューブを通る物質の漏れを阻止し又は減少させるためにはんだ付けによりハイポチューブ１１０ｅの中間区分に取り付けられている。図２７に示されているように、剛性スタイレットをカニューレから抜去するとき、ハイポチューブ１１０ｅ及び対応の可撓性スリーブ１５０ｅを撓ませて曲げ形体にすることができる。
【０１２７】
可撓性外側ペネトレータ及び剛性内側ペネトレータを含むペネトレータ組立体を特定の観点であるとみなすことができる構成の面で説明したが、本発明は、開示した観点には限定されない。さらに、本発明の多くの特徴及び利点が詳細な説明から明らかであり、かくして、本発明の精神及び範囲に属する本発明のかかる全ての特徴及び利点を含むことが添付の特許請求の範囲によって意図されている。さらに、本発明を図示するとともに説明した構成及び作用そのものに限定することは、望まれておらず、したがって、本発明の範囲に含まれる全ての適当な改造例及び均等例を用いることができる。したがって、本発明は、例示とみなされるべきであって、本発明を限定するものとみなされるべきではない。したがって、本発明は、特許請求の範囲に記載された本発明の精神及び範囲に含まれる種々の改造例及び同様な構成例を含むことを意図しており、かかる本発明の精神及び範囲には、全てのかかる改造例及び同様な構造を含むよう最も広い解釈が与えられるべきである。
【図１】
2021522973.tif 000003
【図２】
2021522973.tif 000004
【図３】
2021522973.tif 000005
【図４】
2021522973.tif 000006
【図５】
2021522973.tif 000007
【図６Ａ】
2021522973.tif 000008
【図６Ｂ】
2021522973.tif 000009
【図７Ａ】
2021522973.tif 000010
【図７Ｂ】
2021522973.tif 000011
【図７Ｃ】
2021522973.tif 000012
【図７Ｄ】
2021522973.tif 000013
【図７Ｅ】
2021522973.tif 000014
【図７Ｆ】
2021522973.tif 000015
【図７Ｇ】
2021522973.tif 000016
【図７Ｈ】
2021522973.tif 000017
【図７Ｉ】
2021522973.tif 000018
【図７Ｊ】
2021522973.tif 000019
【図７Ｋ】
2021522973.tif 000020
【図７Ｌ】
2021522973.tif 000021
【図７Ｍ】
2021522973.tif 000022
【図７Ｎ】
2021522973.tif 000023
【図７Ｏ】
2021522973.tif 000024
【図７Ｐ】
2021522973.tif 000025
【図７Ｑ】
2021522973.tif 000026
【図８】
2021522973.tif 000027
【図９】
2021522973.tif 000028
【図１０】
2021522973.tif 000029
【図１１】
2021522973.tif 000030
【図１２】
2021522973.tif 000031
【図１３】
2021522973.tif 000032
【図１４】
2021522973.tif 000033
【図１５】
2021522973.tif 000034
【図１６】
2021522973.tif 000035
【図１７】
2021522973.tif 000036
【図１８Ａ】
2021522973.tif 000037
【図１８Ｂ】
2021522973.tif 000038
【図１９】
2021522973.tif 000039
【図２０】
2021522973.tif 000040
【図２１】
2021522973.tif 000041
【図２２】
2021522973.tif 000042
【図２３】
2021522973.tif 000043
【図２４】
2021522973.tif 000044
【図２５Ａ】
2021522973.tif 000045
【図２５Ｂ】
2021522973.tif 000046
【図２５Ｃ】
2021522973.tif 000047
【図２６】
2021522973.tif 000048
【図２７】
2021522973.tif 000049
【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
骨内空間への接近を可能にするよう操作できるペネトレータ組立体であって、前記ペネトレータ組立体は、
長手方向ボアと、骨及び関連骨髄に貫入することができる遠位端部とを有する可撓性外側ペネトレータと、
骨及び関連骨髄に貫入することができる遠位端部を有する剛性内側ペネトレータと、
前記可撓性外側ペネトレータの近位端部に連結された遠位端部を有するハブと、
前記剛性内側ペネトレータの近位端部に連結された遠位端部及びドライバに解除可能に係合するよう構成された近位端部を有するコネクタと、を含み、
前記可撓性外側ペネトレータの前記長手方向ボアは、前記可撓性外側ペネトレータが挿入手技中に曲がるのを阻止し又は最小限に抑えるよう前記剛性内側ペネトレータを抜去可能に受け入れるよう構成され、前記可撓性外側ペネトレータは、前記長手方向ボアからの前記剛性内側ペネトレータの抜去後に曲がるよう構成されている、ペネトレータ組立体。
【請求項２】
前記外側ペネトレータの前記遠位端部に隣接したところで前記外側ペネトレータに連結された深さ制御カラーをさらに含み、前記深さ制御カラーは、前記骨内空間中への前記内側ペネトレータ及び前記外側ペネトレータのそれ以上の貫入を阻止するために前記骨に接触することができる遠位端部を有する、請求項１記載のペネトレータ組立体。
【請求項３】
前記外側ペネトレータの前記遠位端部に固定された遠位切断スリーブをさらに含み、遠位切断スリーブは、骨及び関連骨髄に貫入することができる、請求項１記載のペネトレータ組立体。
【請求項４】
前記可撓性外側ペネトレータは、前記剛性内側ペネトレータが前記可撓性外側ペネトレータの前記長手方向ボアから抜去されたときに前記外側ペネトレータが曲がることができるようにする複数のスリットを有する、請求項１〜３のうちいずれか一に記載のペネトレータ組立体。
【請求項５】
前記複数のスリットは、前記可撓性外側ペネトレータの中間区分に沿って設けられ、前記中間区分は、前記可撓性外側ペネトレータの前記遠位端部と前記近位端部との間に配置されている、請求項４記載のペネトレータ組立体。
【請求項６】
前記複数のスリットは、前記可撓性外側ペネトレータの前記中間区分の長さに沿ってパターンをなして配列されている、請求項５記載のペネトレータ組立体。
【請求項７】
前記可撓性外側ペネトレータに取り付けられた被覆スリーブをさらに含み、前記被覆スリーブは、前記可撓性外側ペネトレータからの物質の漏れを阻止し又は最小限に抑えることができる、請求項４〜６のうちいずれか一に記載のペネトレータ組立体。
【請求項８】
前記被覆スリーブは、前記可撓性外側ペネトレータの前記中間区分を覆うよう構成され、前記被覆スリーブは、前記複数のスリットからの物質の漏れを阻止し又は最小限に抑えることができる、請求項７記載のペネトレータ組立体。
【請求項９】
前記被覆スリーブは、前記可撓性外側ペネトレータを曲げたときに曲がることができる、請求項７又は８に記載のペネトレータ組立体。
【請求項１０】
前記コネクタの前記遠位端部は、前記ハブの近位端部に解除可能に係合するよう構成されている、請求項１〜９のうちいずれか一に記載のペネトレータ組立体。
【国際調査報告】
2021522973.tif 000050
2021522973.tif 000051